(57)【要約】【課題】縦置き時及び横置き時のいずれにおいても観察者が位置を変えることなく立体画像を視認できる表示装置及び電子機器を提供する。【解決手段】略正方形状の略同じ大きさの４つのサブ画素で構成される略正方形状からなる画素を複数有する画像表示手段と、サブ画素に表示される右眼用画像及び左眼用画像に両目視差効果を生じさせる遮光手段と、を備えた表示装置である。遮光手段は、画素に対する第１の方向に沿ってバリア開口が形成される第１のバリアパターンと、第１の方向と直交する第２の方向に沿ってバリア開口が形成される第２のバリアパターンと、を有する。【選択図】図１
2011197508.tif 000002
【特許請求の範囲】
【請求項１】
略正方形状の略同じ大きさの４つのサブ画素で構成される略正方形状からなる画素を複数有する画像表示手段と、
前記サブ画素に表示される右眼用画像及び左眼用画像に両目視差効果を生じさせる遮光手段と、を備えた表示装置において、
前記遮光手段は、前記画素に対する第１の方向に沿ってバリア開口が形成される第１のバリアパターンと、前記第１の方向と直交する第２の方向に沿ってバリア開口が形成される第２のバリアパターンと、を有することを特徴とする表示装置。
【請求項２】
前記第１のバリアパターン及び前記第２のバリアパターンは、各々の前記バリア開口が千鳥状に配置されてなることを特徴とする請求項１に記載の表示装置。
【請求項３】
前記バリア開口の各々は、前記画素毎に対応することを特徴とする請求項２に記載の表示装置。
【請求項４】
前記画像表示手段は、複数の前記画素における画素配列が複数行に亘って形成されており、前記画素は画素行が変わる毎に前記サブ画素の１ピッチ分だけずれて配置されていることを特徴とする請求項１に記載の表示装置。
【請求項５】
前記第１のバリアパターン及び前記第２のバリアパターンは、各々の前記バリア開口がストライプ状に配置されてなることを特徴とする請求項４に記載の表示装置。
【請求項６】
前記遮光手段は一対の基板間に液晶層を挟持してなる液晶パネルから構成されており、
前記基板の一方における液晶層側に設けられる第１の電極の形状が前記第１のバリアパターンに対応し、前記基板の他方における液晶層側に設けられる第２の電極の形状が前記第２のバリアパターンに対応することを特徴とする請求項１〜５のいずれか一項に記載の表示装置。
【請求項７】
請求項１〜６のいずれか一項に記載の表示装置を備えたことを特徴とする電子機器。
【発明の詳細な説明】
【技術分野】
【０００１】
本発明は、表示装置及び電子機器に関する。
【背景技術】
【０００２】
従来、特殊なメガネを使用せずに立体映像を表示する装置として、液晶パネル等の表示パネルの表示画面の観察者側にパララックスバリアやレンチキュラレンズを配置し、表示画面に１縦ラインごとに交互に表示される右眼用画像と左眼用画像からの光を分離して立体映像を視覚できるようにしているものがある（例えば、特許文献１参照）。
【先行技術文献】
【特許文献】
【０００３】
【特許文献１】特開２００１−１６６２５９号公報
【発明の概要】
【発明が解決しようとする課題】
【０００４】
しかしながら、上述のような表示装置においては、各画像を表示する画素形状における縦横比が異なるため、表示装置を縦置きにした場合と横置きにした場合とで立体画像を良好に視認することができる適視距離が変化してしまうといった問題があった。
【０００５】
本発明は前記事情に鑑みてなされたもので、縦置き時及び横置き時のいずれにおいても観察者が位置を変えることなく立体画像を視認できる表示装置及び電子機器を提供することを目的としている。
【課題を解決するための手段】
【０００６】
前記目的を達成するため本発明の表示装置は、略正方形状の略同じ大きさの４つのサブ画素で構成される略正方形状からなる画素を複数有する画像表示手段と、前記サブ画素に表示される右眼用画像及び左眼用画像に両目視差効果を生じさせる遮光手段と、を備えた表示装置において、前記遮光手段は、前記画素に対する第１の方向に沿ってバリア開口が形成される第１のバリアパターンと、前記第１の方向と直交する第２の方向に沿ってバリア開口が形成される第２のバリアパターンと、を有することを特徴とする。
【０００７】
本発明の表示装置によれば、サブ画素が略正方形形状であるため、例えば縦置き時と横置き時においてサブ画素間ピッチが変化することがなくなり、観察者が立体画像を良好に視認可能な距離が変化するのを防止できる。よって、縦置き及び横置きに対応したバリア開口が設定されるため、縦置き時及び横置き時のいずれにおいても観察者が移動することなく、良好な立体画像を視認させることができる。また、画素として例えばＲ（赤）、Ｇ（緑）、Ｂ（青）、Ｗ（白）の４色からなるものを用いることができるので、高品質な立体画像を表示することができる。
【０００８】
また、上記表示装置においては、前記バリア開口の各々は、前記画素の１個に対応するように配置されるのが好ましい。さらに、前記バリア開口の各々は、前記画素の１個に対応するように配置されるのが望ましい。
このようにすれば、縦置き時と横置き時のいずれにおいてもバリア開口を各画素に対応させることができる。
【０００９】
また、上記表示装置においては、前記画像表示手段は、複数の前記画素における画素配列が複数行に亘って形成されており、前記画素は画素行が変わる毎に前記サブ画素の１ピッチ分だけずれて配置されているのが好ましい。
この構成によれば、右眼用画像及び左眼用画像を１列毎に交互に配置する構成が可能となる。よって、立体画像の視認性を向上させることができる。
【００１０】
また、上記表示装置においては、前記第１のバリアパターン及び前記第２のバリアパターンは、各々の前記バリア開口がストライプ状に配置されてなるのが好ましい。
この構成によれば、バリア開口の形状を単純化することができ、遮光手段の製造工程を簡便なものとすることができる。
【００１１】
また、上記表示装置においては、前記遮光手段は一対の基板間に液晶層を挟持してなる液晶パネルから構成されており、前記基板の一方における液晶層側に設けられる第１の電極の形状が前記第１のバリアパターンに対応し、前記基板の他方における液晶層側に設けられる第２の電極の形状が前記第２のバリアパターンに対応するのが好ましい。
この構成によれば、縦置用バリアパターン及び横置用バリアパターンを一枚の液晶パネルによって構成することができ、部品点数が少なくなることで装置の薄型化及び小型化を図ることができる。
【００１２】
本発明の電子機器は、上記表示装置を備えることを特徴とする。
【００１３】
本発明の電子機器によれば、上述の表示装置を備えるので、この電子機器自体も縦置き時及び横置き時において観察者が移動することなく良好な立体画像を表示可能な信頼性の高いものとなる。
【図面の簡単な説明】
【００１４】
【図１】パララックスバリアを用いた立体映像表示装置の概略構成である。
【図２】液晶パネルにおける画素配置を示す平面図である。
【図３】立体画像表示時に各サブ画素が表示する画像を示す図である。
【図４】遮光バリアの構成を示す断面図である
【図５】第１の電極の形状を示す平面図である。
【図６】第２の電極の形状を示す平面図である。
【図７】第１、第２の電極の位置関係を示す図である。
【図８】横置き時におけるバリア開口の形状を示す図である。
【図９】第２実施形態に係る液晶パネルにおける画素配置を示す平面図である。
【図１０】第２実施形態に係る各サブ画素が表示する画像を示す図である。
【図１１】第１の電極の形状を示す平面図である。
【図１２】第２の電極の形状を示す平面図である。
【図１３】第１、第２の電極の位置関係を示す図である。
【図１４】横置き時におけるバリア開口の形状を示す図である。
【図１５】電子機器の一実施形態に係る携帯電話の構成を示す図である。
【発明を実施するための形態】
【００１５】
以下、図面を参照しつつ本発明の表示装置及び電子機器に係る一実施形態について説明する。図１は本実施形態に係る表示装置の一例として、パララックスバリアを用いた立体映像表示装置（表示装置）の概略構成を示す図である。
【００１６】
（第１実施形態）
図１に示すように立体画像表示装置１は、液晶パネル（画像表示手段）３と遮光バリア（遮光手段）２とを有している。液晶パネル３は２枚のガラス基板の間に液晶層を挟持した構成を有しており、左眼用画像Ｌと右眼用画像Ｒとを交互に表示する複数のサブ画素を備えている。液晶パネル３と観察者Ｈとの間には、左眼用画像Ｌと右眼用画像Ｒとを空間的に分離する画像分離手段として上記遮光バリア２が配置されている。
【００１７】
遮光バリア２は、右眼用画像Ｒと左眼用画像Ｌに対応した複数のバリア開口Ｓを有し、左眼用画像Ｌが観察者Ｈの右目に入射されるのを防ぐと共に右眼用画像Ｒが観察者Ｈの左目に入射されるのを防ぐためのものである。
【００１８】
図２は液晶パネル３における画素配置を示す平面図である。図２に示されるように、略正方形状の複数の画素１００が配置されている。各画素１００はそれぞれ赤（Ｒ）色、緑（Ｇ）色、青（Ｂ）色、白（Ｗ）色のカラーフィルターが割り当てられた４つのサブ画素１００Ｒ，１００Ｇ，１００Ｂ，１００Ｗを含んでいる。本実施形態では、これら４つのサブ画素１００Ｒ，１００Ｇ，１００Ｂ，１００Ｗは、略正方形状の略同じ大きさで構成されている。よって、隣接するサブ画素１００Ｒ，１００Ｇ，１００Ｂ，１００Ｗ間のピッチが等しく設定されている。
【００１９】
図３は液晶パネル３を立体画像表示に使用した際に各サブ画素１００Ｒ，１００Ｇ，１００Ｂ，１００Ｗが表示する画像を示す図である。図３に示されるように、液晶パネル３は右眼用画像Ｒと左眼用画像Ｌとがサブ画素毎に水平方向に沿って交互に並んで配置されている。なお、図３においては、液晶パネル３（立体画像表示装置１）が縦置きされた状態における画素配置状態を示している。
【００２０】
垂直方向（図３中における上下方向）で見ると、隣接する画素行において右眼用画像Ｒと左眼用画像Ｌとの配列順が逆になっている。図３では、１行目の画素１００においては、右眼用画像Ｒ、左眼用画像Ｌの順で配置されており、２行目の画素１００においては、左眼用画像Ｌ、右眼用画像Ｒの順で配置されている。
【００２１】
遮光バリア２は、右眼用画像Ｒと左眼用画像Ｌを分離する位置にバリア開口Ｓを生じさせるようになっている。図３に示すように、各画素１００は右眼用画像Ｒ及び左眼用画像Ｌを２個ずつ含んでいる。バリア開口Ｓは画素１００毎に対応して配置されている。なお、図３中実線Ｂで示すのが立体画像を構成する最小構成要素であり、具体的には２つの画素１００（図２参照）により構成されている。
【００２２】
本実施形態に係る立体画像表示装置１では、該立体画像表示装置１を縦置きした状態における遮光バリア２がなす遮光バリアパターンと、横置きした状態における遮光バリア２がなす遮光バリアパターンとが異なっている。
【００２３】
遮光バリア２は、液晶パネルにより構成されている。図４は遮光バリア２の構成を示す断面図である。図４に示されるように、遮光バリア２は２枚のガラス基板（一対の基板）１１，１２の間に液晶層１３を挟持することで構成されている。それぞれのガラス基板１１，１２の外面には偏光板１４，１６が設けられている。これら２枚の偏光板１４，１６のうち、画像を表示する液晶パネル３側の偏光板１４は、液晶パネル３の偏光板（不図示）と共用することも可能である。これら偏光板１４と偏光板１６とが、偏光軸が互いに直交するように貼り付けられている。一方のガラス基板１１の内面側（液晶層１３側）には第１の電極１０が設けられている。また、他方のガラス基板１２の内面側（液晶層１３側）には第２の電極１５が形成されている。これら第１の電極１０及び第２の電極１５は、例えばＩＴＯにより構成されている。
【００２４】
図５はガラス基板１１に形成された第１の電極１０の形状を示す平面図である。図５に示されるように、第１の電極１０は縦置時駆動電極部１０ａと横置時駆動電極部１０ｂとを含んでいる。縦置時駆動電極部１０ａと横置時駆動電極部１０ｂとはそれぞれ絶縁されている。
【００２５】
縦置時駆動電極部１０ａは、略長方形状の複数の長方形電極３０を含み、これら長方形電極３０が千鳥状に配置されるとともに互いに接続された状態となっている。なお、各長方形電極３０は遮光バリア２のバリア開口Ｓ（図３参照）として機能するものである。横置時駆動電極部１０ｂは、上記縦置時駆動電極部１０ａと同様、複数の長方形電極３０を含み、これら長方形電極３０が千鳥状に配置されるとともに互いが電気的に接続された状態となっている。なお、縦置時駆動電極部１０ａと横置時駆動電極部１０ｂとは交互に形成されており、これにより第１の電極１０はガラス基板１１の略全面に亘って配置されたものとなっている。
【００２６】
また、これら縦置時駆動電極部１０ａおよび横置時駆動電極部１０ｂには、それぞれ縦置用駆動部２１および横置用駆動部２２が電気的に接続されており、それぞれが独立して駆動可能とされている。これら縦置用駆動部２１および横置用駆動部２２は、例えばスイッチング回路等を含む回路部によって構成されるものである。
【００２７】
このような構成に基づいて、縦置時駆動電極部１０ａは立体画像表示装置１が縦置きされた際に駆動されるようになっている。横置時駆動電極部１０ｂは、縦置時駆動電極部１０ａとは異なり、立体画像表示装置１が横置きされた際にのみ駆動されるようになっている。なお、縦置時駆動電極部１０ａは、縦置き時に右眼用画像Ｒ及び左眼用画像Ｌを良好に分離可能な大きさ及び位置に設定されている。
【００２８】
図６はガラス基板１２に形成された第２の電極１５の形状を示す平面図である。図６に示されるように、第２の電極１５は横置時駆動電極部１５ａと縦置時駆動電極部１５ｂとを含んでいる。横置時駆動電極部１５ａと縦置時駆動電極部１５ｂとは、それぞれ電気的に絶縁されている。
【００２９】
横置時駆動電極部１５ａは複数の長方形電極３５を含み、これら長方形電極３０が千鳥状に配置されるとともに互いに接続された状態となっている。各長方形電極３５は遮光バリア２のバリア開口として機能するものである。縦置時駆動電極部１５ｂは、上記横置時駆動電極部１５ａと同様、複数の長方形電極３５を含み、これら長方形電極３０が千鳥状に配置されるとともに互いが電気的に接続された状態となっている。なお、横置時駆動電極部１５ａと縦置時駆動電極部１５ｂとは交互に形成されており、これにより第２の電極１５はガラス基板１２の略全面に配置されたものとなっている。
【００３０】
また、これら横置時駆動電極部１５ａおよび縦置時駆動電極部１５ｂには、それぞれ横置用駆動部４１および縦置用駆動部４２が電気的に接続されており、それぞれが独立して駆動可能とされている。これら横置用駆動部４１および縦置用駆動部４２は、例えばスイッチング回路等を含む回路部によって構成されるものである。
【００３１】
このような構成に基づいて、横置時駆動電極部１５ａは、立体画像表示装置１の横置き時に駆動されるようになっている。縦置時駆動電極部１５ｂは、横置時駆動電極部１５ａとは異なり、立体画像表示装置１の縦置き時のみ駆動されるようになっている。なお、横置時駆動電極部１５ａは、横置き時に右眼用画像Ｒ及び左眼用画像Ｌを良好に分離可能な大きさ及び位置に設定されている。
以上のように、遮光バリア２は立体画像表示装置１の設置状態（縦置き時または横置き時）に応じて異なる遮光バリア形状を構成可能となっている。
【００３２】
遮光バリア２は、立体画像表示装置１の縦置き時、ガラス基板１１側の縦置用駆動部２１のみを動作するとともに、ガラス基板１２側の横置用駆動部４１および縦置用駆動部４２を動作する。これにより、ガラス基板１２側においては、第２の電極１５の全面が共通電位とすることができる。
【００３３】
ここで、ガラス基板１１側の縦置時駆動電極部１０ａ及び横置時駆動電極部１０ｂと、ガラス基板１２側の横置時駆動電極部１５ａ及び縦置時駆動電極部１５ｂとは図７に示すような平面的な位置関係となっている。なお、同図は模式図であるため第２の電極１５を構成する縦置時駆動電極部１５ａ及び横置時駆動電極部１５ｂ間に隙間が生じているが、実際の隙間は非常に微小であることから第２の電極１５は縦置時駆動電極部１０ａとの間に電圧を良好に印加することができる。これにより、偏光板１４で偏光された光の偏光軸が、縦置時駆動電極部１０ａと第２の電極１５との間に位置する液晶層１３の中で液晶の回転に従って９０度回転し、偏光板１６を透過して出てくる。このとき、横置時駆動電極部１０ｂと第２の電極１５との間には電圧が印加されないため、偏光板１４で選択された光の偏光軸が、液晶層１３の中で回転しないため、偏光板１６を通過しない。
【００３４】
これにより、遮光バリア２がなすバリア開口Ｓは、図３に示したように縦置時駆動電極部１０ａのパターン（第１のバリアパターン）に対応する千鳥状となる。よって、右眼用画像Ｒおよび左眼用画像Ｌを良好に分離することができ、観察者Ｈに右眼用画像Ｒ及び左眼用画像Ｌを確実に視認させることができる。
【００３５】
立体画像表示装置１は、横置き時においても、右眼用画像Ｒを表示するサブ画素群（２個のサブ画素）と、左眼用画像Ｌを表示するサブ画素群（２個のサブ画素）とは、千鳥状に配置されたものとなる。
【００３６】
遮光バリア２は、立体画像表示装置１の横置き時、ガラス基板１２側の横置用駆動部４１のみを動作するとともに、ガラス基板１１側の縦置用駆動部２１および横置用駆動部２２を動作する。このとき、第１の電極１０の全面が共通電位となる。よって、縦置き時と同様、ガラス基板１２側における横置時駆動電極部１５ａと第１の電極１０との間に電圧を印加することができる。これにより、偏光板１４で偏光された光の偏光軸が、横置時駆動電極部１５ａと第１の電極１０との間に位置する液晶層１３の中で液晶の回転に従って９０度回転し、偏光板１６を透過して出てくる。このとき、縦置時駆動電極部１５ｂと第１の電極１０との間には電圧が印加されないため、偏光板１４で選択された光の偏光軸が、液晶層１３の中で回転しないため、偏光板１６を通過しない。
【００３７】
これにより、遮光バリア２がなすバリア開口Ｓは、図８に示すように横置時駆動電極部１５ａのパターン（第２のバリアパターン）に対応した長方形形状となり、これらが千鳥状に配置されたものとなる。よって、右眼用画像Ｒおよび左眼用画像Ｌを良好に分離することができ、観察者Ｈに右眼用画像Ｒ及び左眼用画像Ｌを確実に視認させることができる。
【００３８】
このように遮光バリア２は、右眼用画像Ｒのみを観察者Ｈの右眼に入射させ、且つ左眼用画像Ｌのみを観察者Ｈの左眼に入射させることで両目視差効果を生じさせ、立体画像を観察者Ｈに視認させることができる。
【００３９】
本実施形態に係る立体画像表示装置１は、上述のように各サブ画素１００Ｒ，１００Ｇ，１００Ｂ，１００Ｗの形状を略正方形としたため、縦置き時と横置き時においてサブ画素間のピッチが変化することが無い。よって、観察者Ｈの液晶パネル３の適視距離が変化することがない。また、縦置き時及び横置き時に対応したバリア形状が設定されるため、縦置き時及び横置き時のいずれにおいても観察者Ｈの立体画像視認位置を変化させること無く、良好な立体画像を視認させることができる。また、画素１００としてＲ（赤）、Ｇ（緑）、Ｂ（青）、Ｗ（白）の４色からなるものが用いられるので、高品質な立体画像を表示することができる。
【００４０】
（第２実施形態）
続いて、立体画像表示装置１の第２実施形態について説明する。本実施形態と第１実施形態との違いは、液晶パネル３の画素１００の配置構成のみである。それ以外の構成については、第１実施形態と共通であることから同一の部材、構成については同じ符号を付し、その説明については省略若しくは簡略化するものとする。
【００４１】
図９は第２実施形態に係る液晶パネル３における画素配置を示す平面図である。図９に示されるように、略正方形状の複数の画素１００が配置されている。各画素１００はそれぞれ赤（Ｒ）色、緑（Ｇ）色、青（Ｂ）色、白（Ｗ）色のカラーフィルターが割り当てられた４つのサブ画素１００Ｒ，１００Ｇ，１００Ｂ，１００Ｗを含んでいる。
【００４２】
本実施形態では、垂直方向（図９中における上下方向）で見ると、画素１００がサブ画素の１ピッチ分だけずれた状態で配置されている。図１０は液晶パネル３を立体画像表示に使用した際に各サブ画素１００Ｒ，１００Ｇ，１００Ｂ，１００Ｗが表示する画像を示す図である。図１０に示すように、液晶パネル３は右眼用画像Ｒと左眼用画像Ｌとがサブ画素毎に水平方向に沿って交互に並んで配置されている。また、垂直方向（図１０中における上下方向）で見ると、同じ眼に対応する画像が並んで配置されている。なお、図１０においては、液晶パネル３（立体画像表示装置１）が縦置きされた状態における画素配置状態を示している。
【００４３】
遮光バリア２は、右眼用画像Ｒと左眼用画像Ｌを分離する位置にバリア開口Ｓを生じさせるようになっている。図１０に示すように、ストライプ状のバリア開口Ｓが複数の画素１００に対応するように設けられている。なお、図１０中実線Ｂで示すのが立体画像を構成する最小構成要素であり、具体的には２つの画素１００により構成されている。
【００４４】
図１１はガラス基板１１に形成された第１の電極１０の形状を示す平面図である。図１１に示されるように、第１の電極１０は縦置時駆動電極部１１０ａと横置時駆動電極部１１０ｂとを含んでいる。縦置時駆動電極部１１０ａと横置時駆動電極部１１０ｂとは、それぞれ電気的に絶縁されている。
【００４５】
縦置時駆動電極部１１０ａは、スリット状のスリット電極１３０を含み、これらスリット電極１３０がストライプ状に配置されるとともに互いに接続された状態となっている。なお、各スリット電極１３０は遮光バリア２のバリア開口Ｓとして機能する。横置時駆動電極部１１０ｂは、上記縦置時駆動電極部１１０ａと同様、複数のスリット電極１３０を含み、これらスリット電極１３０がストライプ状に配置されるとともに互いが電気的に接続された状態となっている。なお、縦置時駆動電極部１１０ａと横置時駆動電極部１１０ｂとは交互に形成されており、これにより第１の電極１０はガラス基板１１の略全面に亘って配置されたものとなっている。なお、縦置時駆動電極部１１０ａは、縦置き時に右眼用画像Ｒ及び左眼用画像Ｌを良好に分離可能な大きさ及び位置に設定されている。
【００４６】
また、これら縦置時駆動電極部１１０ａおよび横置時駆動電極部１１０ｂには、それぞれ縦置用駆動部２１および横置用駆動部２２が電気的に接続されており、それぞれが独立して駆動可能とされている。
【００４７】
図１２はガラス基板１２に形成された第２の電極１５の形状を示す平面図である。図１２に示されるように、第２の電極１５は横置時駆動電極部１１５ａと縦置時駆動電極部１１５ｂとを含んでいる。横置時駆動電極部１１５ａと縦置時駆動電極部１１５ｂとは、それぞれ電気的に絶縁されている。
【００４８】
横置時駆動電極部１１５ａは、スリット状のスリット電極１３０を含み、これらスリット電極１３０がストライプ状に配置されるとともに互いに接続された状態となっている。なお、各スリット電極１３０は遮光バリア２のバリア開口として機能する。縦置時駆動電極部１１５ｂは、上記横置時駆動電極部１１５ａと同様、複数のスリット電極１３０を含み、これらスリット電極１３０がストライプ状に配置されるとともに互いが電気的に接続された状態となっている。なお、横置時駆動電極部１１５ａと縦置時駆動電極部１１５ｂとは交互に形成されており、これにより第２の電極１５はガラス基板１１の略全面に亘って配置されたものとなっている。なお、横置時駆動電極部１１５ａは、横置き時に右眼用画像Ｒ及び左眼用画像Ｌを良好に分離可能な大きさ及び位置に設定されている。具体的に、ガラス基板１１側の縦置時駆動電極部１１０ａ及び横置時駆動電極部１１０ｂと、ガラス基板１２側の横置時駆動電極部１１５ａ及び縦置時駆動電極部１１５ｂとは図１３に示すような平面的な位置関係を有している。
【００４９】
本実施形態では、遮光バリア２のバリアパターンをなす第１の電極１０及び第２の電極１５の形状をストライプ状としたため、遮光バリア２の製造工程を第１実施形態に比べて簡便化することができる。
【００５０】
また、これら横置時駆動電極部１１５ａおよび縦置時駆動電極部１１５ｂには、それぞれ横置用駆動部４１および縦置用駆動部４２が電気的に接続されており、それぞれが独立して駆動可能とされている。
【００５１】
遮光バリア２は、立体画像表示装置１の縦置き時、縦置用駆動部２１のみを動作するとともに、ガラス基板１２側の横置用駆動部４１および縦置用駆動部４２を動作する。これにより、ガラス基板１２側においては、第２の電極１５の全面が共通電位とすることができる。
【００５２】
ここで、ガラス基板１１側の縦置時駆動電極部１１０ａ及び横置時駆動電極部１１０ｂと、ガラス基板１２側の横置時駆動電極部１１５ａ及び縦置時駆動電極部１１５ｂとは図１３に示すような平面的な位置関係となっている。なお、同図は模式図であるため第２の電極１５を構成する縦置時駆動電極部１１５ａ及び横置時駆動電極部１１５ｂ間に隙間が生じているが、実際の隙間は非常に微小であることから第２の電極１５は縦置時駆動電極部１１０ａとの間に電圧を良好に印加することができる。これにより、偏光板１４で偏光された光の偏光軸が、縦置時駆動電極部１１０ａと第２の電極１５との間に位置する液晶層１３の中で液晶の回転に従って９０度回転し、偏光板１６を透過して出てくる。このとき、横置時駆動電極部１１０ｂと第２の電極１５との間には電圧が印加されないため、偏光板１４で選択された光の偏光軸が、液晶層１３の中で回転しないため、偏光板１６を通過しない。
【００５３】
よって、遮光バリア２がなすバリア開口Ｓは、図１０に示したように縦置時駆動電極部１１０ａのパターンに対応するスリット形状となる。よって、右眼用画像Ｒおよび左眼用画像Ｌを良好に分離することができ、観察者Ｈに右眼用画像Ｒ及び左眼用画像Ｌを確実に視認させることができる。
立体画像表示装置１は、横置き時においても、右眼用画像Ｒを表示するサブ画素と、左眼用画像Ｌを表示するサブ画素群とがストライプ状に配置されたものとなる。
【００５４】
遮光バリア２は、立体画像表示装置１の横置き時、横置用駆動部４１のみを動作するとともに縦置用駆動部２１および横置用駆動部２２を動作する。このとき、第１の電極１０の全面が共通電位となるため、横置時駆動電極部１１５ａと第１の電極１０との間に電圧を印加することができる。これにより、偏光板１４で偏光された光の偏光軸が、横置時駆動電極部１１５ａと第１の電極１０との間に位置する液晶層１３の中で液晶の回転に従って９０度回転し、偏光板１６を透過して出てくる。このとき、縦置時駆動電極部１１５ｂと第１の電極１０との間には電圧が印加されないため、偏光板１４で選択された光の偏光軸が、液晶層１３の中で回転しないため、偏光板１６を通過しない。
【００５５】
これにより、遮光バリア２がなすバリア開口Ｓは、図１４に示すように横置時駆動電極部１１５ａのパターンに対応したスリット形状となり、これらがストライプ状に配置されたものとなる。よって、右眼用画像Ｒおよび左眼用画像Ｌを良好に分離することができ、観察者Ｈに右眼用画像Ｒ及び左眼用画像Ｌを確実に視認させることができる。
【００５６】
このように遮光バリア２は、右眼用画像Ｒのみを観察者Ｈの右眼に入射させ、且つ左眼用画像Ｌのみを観察者Ｈの左眼に入射させることで両目視差効果を生じさせ、立体画像を観察者Ｈに視認させることができる。
【００５７】
本実施形態においても、各サブ画素１００Ｒ，１００Ｇ，１００Ｂ，１００Ｗの形状を略正方形としたため、縦置き時及び横置き時のいずれにおいても観察者Ｈの立体画像視認位置を変化させること無く、良好な立体画像を視認させることができる。
【００５８】
（電子機器）
図１５は、本発明に係る電子機器の一例を示す斜視図である。同図の携帯電話１３００は、本発明の表示装置を小サイズの表示部１３０１として備え、複数の操作ボタン１３０２、受話口１３０３、及び送話口１３０４を備えて構成されている。上記実施形態の表示装置は、上記携帯電話に限らず、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの電子機器においても縦置き時及び横置き時において観察者が移動することなく良好な立体画像を表示が可能な信頼性の高い電子機器を提供することができる。
【００５９】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【符号の説明】
【００６０】
Ｈ…観察者、Ｓ…バリア開口、Ｒ…右眼用画像、Ｌ…左眼用画像、１…立体画像表示装置（表示装置）、２…遮光バリア（遮光手段）、３…液晶パネル（画像表示手段）、１０…第１の電極、１３…液晶層、１５…第２の電極、１００…画素、１００Ｒ，１００Ｇ，１００Ｂ，１００Ｗ…サブ画素、１３００…携帯電話（電子機器）
【図１】
2011197508.tif 000003
【図２】
2011197508.tif 000004
【図３】
2011197508.tif 000005
【図４】
2011197508.tif 000006
【図５】
2011197508.tif 000007
【図６】
2011197508.tif 000008
【図７】
2011197508.tif 000009
【図８】
2011197508.tif 000010
【図９】
2011197508.tif 000011
【図１０】
2011197508.tif 000012
【図１１】
2011197508.tif 000013
【図１２】
2011197508.tif 000014
【図１３】
2011197508.tif 000015
【図１４】
2011197508.tif 000016
【図１５】
2011197508.tif 000017